(57)【要約】【課題】建築物に吹き付けたアスベストを強制的に剥離、解体することなくアスベストを密閉空間内に閉じ込めて長期的に安定化させ、粉塵の発生を防止する技術を提供することを目的とするものである。【解決手段】この目的を達成するために、屋根や天井、外壁、内外装材等の建築物の構築面１に吹き付けたアスベスト２に飛散抑制剤３を浸透、硬化させるとともに飛散抑制剤３の表面を耐火性を有する被覆材４で被覆するものである。更に、被覆材４中に保持部材５、１２を埋め込み、被覆材４を補強してアスベスト２を完全に閉じ込めるものである。また、アスベスト２面を遮蔽板１６で囲んで密閉し、アスベスト２を閉じ込める。【選択図】図１
0003118801.tif 000002
【実用新案登録請求の範囲】
【請求項１】
建築物の屋根や天井、外壁等の構築面１に吹き付けたアスベスト２面を飛散抑制剤３で硬化処理するとともに構築面１に打ち込んだ固定部材６に垂直状に連結するボルト７の下部に、アスベスト２に対して間隔を設けて平行状に配設した金属線を方形状に組み合わせた保持部材５を支持板１０を介して連結し、飛散抑制剤３に吹き付けた耐火性を有する被覆材４内に保持部材５を埋め込んだことを特徴とするアスベストの飛散防止装置。
【請求項２】
建築物の屋根や天井、外壁等の構築面１に吹き付けたアスベスト２面を飛散抑制剤３で硬化処理するとともに構築面１に打ち込んだ固定部材６に垂直状に連結するボルト７の下部に、アスベスト２に対して間隔を設けて平行状に配設した金属材を井桁状に組み合わせた保持部材１２を連結し、飛散抑制剤３に吹き付けた耐火性を有する被覆材４内に保持部材１２を埋め込んだことを特徴とするアスベストの飛散防止装置。
【請求項３】
建築物の屋根や天井、外壁等の構築面１に吹き付けたアスベスト２に対して全面を密に閉じることが可能な遮蔽板１６を設置し、アスベスト２を密閉空間１７内に閉じ込めることが可能なアスベストの飛散防止装置。
【請求項４】
建築物の屋根や天井等の高所および外壁の低所に位置する構築面１に吹き付けたアスベスト２に対して全面を密に閉じることが可能な遮蔽板１６で覆い、アスベスト２を密閉空間１７内に封じ込めることが可能なアスベストの飛散防止装置。
【考案の詳細な説明】
【技術分野】
【０００１】
本考案は、建築物に使用されるアスベストの飛散防止装置に関し、特に、建築物の屋根や天井面、壁面等の構築面に吹き付けたアスベストを閉じ込めることにより剥離、崩落を防止し、アスベストを長期的に安定化させるためのアスベストの飛散防止装置に関するものである。
【背景技術】
【０００２】
天然に産する繊維状ケイ酸塩鉱物を主成分とするアスベストは、耐熱性、耐摩耗性、耐酸性、吸音性、絶縁性等に優れ、かつ、機械的強度を有し、建築物の内装材、外装材、吸音断熱材、耐火被覆材等の建材として広く使用されている。特に、セメント、プラスチック、ゴム等の材料と組み合わせた建材の他に壁面や天井面等の建物構築面にアスベストを吹き付けることが行われている。
【０００３】
アスベストは１９７０年から１９９０年にかけて大量に輸入され建築物に使用されているが、建築物の老巧化あるいは経年経過による劣化、更には地震の揺れにともないアスベストの一部あるいは全体が構築面から剥離、崩落し、粉塵として飛散する現象が生じている。アスベストは微小な針状結晶組織のため人が吸引した場合、体内に残留し石綿肺、肺がん、胸膜・腹膜の中皮腫等の健康障害を引き起こし、大きな社会問題となっている。
【０００４】
アスベストは、現在は使用が禁止されているが、古くは体育館、講堂、倉庫、公会堂、駅舎等の不特定多数が集合する大型な建築物に広く使用され、近年では病院や集合住宅、一般住宅にも使用されていることが判明し、使用者や住人の健康問題を考慮して建築物からアスベストを除去する作業が行われている。
【０００５】
前記のようにアスベスト粉塵は健康に悪影響を与えるために、アスベストの除去に際しては除去現場をビニールシートで完全に覆い、外部から隔離してアスベスト粉塵が周辺に飛散することを防止する。その後、アスベスト面に水を噴霧して湿潤させ、防塵マスクや保護衣を着用した作業員がヘラのような工具を使用して削り取っていた。
【０００６】
しかし、この除去手段では作業員の健康問題、多額の経費の必要性、多量のアスベストが排出されることから起きる処理場確保の問題、不法投棄、環境問題等大きな課題が山積している。
【０００７】
効率よく機械的にアスベストを除去する具体的な手段としては特開平１１−１９３６４３号に示されるアスベスト除去装置を使用する技術が開示されている。この技術は、除去ヘッド１２のブラシシール３５をアスベスト面に押し当て、泡を噴射しつつ除去ヘッド１２を移動させ、回転する切削部材３９によりアスベストを削り取るものである。削り取ったアスベストは回収するようになっている。
【特許文献１】特開平１１−１９３６４３号公報
【考案の開示】
【考案が解決しようとする課題】
【０００８】
しかし、機械的にアスベストを削り取り、回収するとしても天井面と壁面のような直角状の境界面に切削部材３９をあてがうことができず、この部分のアスベストを削り取ることができないものであった。また、天井面に段差がある箇所のアスベストも削り取ることができないものであった。しかも、機械的に処理するために天井面や壁面をも傷つけることがあった
【０００９】
更に、従来、特開２０００−７９３８０に示されるアスベストを無害化処理したり、特開２００１−３１７７１３に示されるアスベストを溶融処理する技術が提供されているが、その前段階としてアスベストを建築物から除去する必要があり、アスベストを周辺に飛散させることなくいかにして建築物から取り去るかに苦慮していた。いずれにしても従来技術ではアスベストを剥離、解体することを前提としており、アスベストの飛散を完全に防止することはできないものであった。
【００１０】
本考案は、建築物に吹き付けたアスベストを強制的に剥離、解体することなくアスベストを長期的に閉じ込め、アスベスト粉塵が屋内外に飛散することを防止する技術を提供することを目的とするものである。
【課題を解決するための手段】
【００１１】
上記する目的を達成するために本考案アスベストの飛散防止装置は、建築物の屋根や天井、外壁等の構築面１に吹き付けたアスベスト２面を飛散抑制剤３で硬化処理するとともに構築面１に打ち込んだ固定部材６に垂直状に連結するボルト７の下部に、アスベスト２に対して間隔を設けて平行状に配設した金属線を方形状に組み合わせた保持部材５を支持板１０を介して連結し、飛散抑制剤３に吹き付けた耐火性を有する被覆材４内に保持部材５を埋め込んだことを特徴とする。
【００１２】
また、本考案アスベストの飛散防止装置は、建築物の屋根や天井、外壁等の構築面１に吹き付けたアスベスト２面を飛散抑制剤３で硬化処理するとともに構築面１に打ち込んだ固定部材６に垂直状に連結するボルト７の下部に、アスベスト２に対して間隔を設けて平行状に配設した金属材を井桁状に組み合わせた保持部材１２を連結し、飛散抑制剤３に吹き付けた耐火性を有する被覆材４内に保持部材１２を埋め込んだことを特徴とする。
【００１３】
更に、本考案アスベストの飛散防止装置は、建築物の屋根や天井、外壁等の構築面１に吹き付けたアスベスト２に対して全面を密に閉じることが可能な遮蔽板１６を設置し、アスベスト２を密閉空間１７内に閉じ込めることを特徴とする。
【００１４】
更にまた、本考案アスベストの飛散防止装置は、建築物の屋根や天井等の高所および外壁の低所に位置する構築面１に吹き付けたアスベスト２に対して全面を密に閉じることが可能な遮蔽板１６で覆い、アスベスト２を密閉空間１７内に封じ込めることを特徴とする。
【考案の効果】
【００１５】
本考案によれば建築物の天井や壁、内外装材等の構築面１に吹き付けられたアスベスト２を吹き付け状態のままで長期間にわたって閉じ込めることが可能である。特に、飛散抑制剤３によってアスベスト２が安定化するのでアスベスト２が構築面１から剥離したり崩落して粉塵が飛散することがなく、人の健康を損ねることがない。更に、飛散抑制剤３の表面を耐火性を有する被覆材４で覆うので火災時の防火に効果がある。
【００１６】
更に、建築物の屋根や天井、側壁等の全ての構築面１に吹き付けたアスベスト２を遮蔽板１６で囲んだ密閉空間１７内に密に閉じ込めることができるので、アスベスト２が剥離あるいは崩落しても遮蔽板１６で受け止めることができ、粉塵は屋内外に飛び散ることはなく、粉塵を吸引することによる人の健康を損ねることがない。
【００１７】
また、建築物の視認できる範囲のアスベスト２を完全に被覆することで目につくことがなくなり、建築物の利用者や住人にいたずらに不安感を与えることがない。更には、通常は目につかない天井裏や屋根内面、内外装材の内面等に吹き付けたアスベストを安定化処理することで建築物全体のアスベスト２を安定化でき、安全な生活環境を維持することができる。
【００１８】
本考案の処理技術は、すでにアスベスト２が吹き付けられた構築面１を有する既存の建築物に利用可能であるから、劣化して剥離あるいは崩落の危険性を有するアスベスト２に対して封じ込め処理をすることで安心して建築物を利用することができ、また、住まうことができるものである。
【００１９】
アスベスト２の密閉化処理に際して既設のアスベスト２を飛散抑止剤３を使用して効果処理することでいたずらに粉塵を発生することがなく、環境に優しく、作業の安全性を確保でき、作業期間中も多くの人の出入りが可能であり、アスベスト２の危険性から回避できるものである。
【００２０】
アスベスト２を被覆する被覆材４を保持部材５、１２を使用して保持することで被覆材４の厚さを充分に厚くすることができて防火対策が完全となり、一度、本発明の処理技術を施すことで長期にわたって既設のアスベスト２を安定化させることができる。
【００２１】
総じて本考案のように建築物に吹き付けた既設のアスベストを取り除くことなく安定させ、飛散を防止する特殊な技術は開示されておらず、健康を維持するためには極めて重要性を有するものである。特に、本発明処理技術は、特殊な技術を要することなく建築業者、リフォーム業者が容易に作業することができ、時間を短縮し、少ない費用で既存の多くの建築物に対処することができる。
【００２２】
更に、本考案が安定化処理後に重要性を有することは、アスベスト２を飛散抑制剤３によって硬化可能であるから、建築物自体あるいはアスベスト２そのものを解体処理する場合でもアスベスト２は塊の状態で構築面１から引き剥がすことができ、粉塵が発生することがなく、解体作業を容易に行うことができる。しかも、解体後のアスベスト塊はそのまま産業廃棄物として廃棄処分ができる利点を有している。
【考案を実施するための最良の形態】
【００２３】
以下図面に従って本考案の実施形態を詳細に説明する。
図１は、建築物に吹き付けたアスベストを飛散防止処理するための本考案の第一の実施形態を示すものであり、図において符号１は既設の建築物の構築面であり、例えば、コンクリート製天井構築面の場合を示している。また、符号２は、構築面１に対して吹き付けたアスベストを示している。
【００２４】
経年経過による材質の劣化、あるいは地震の揺れ等が原因でアスベスト２が剥離あるいは崩落する危険があるが、本実施形態の考案は事前にアスベスト２を閉じ込めて安定化させ、剥離や崩落を防止するものである。このため、本発明においては、アスベスト２全面に例えば有機質系接着剤あるいは無機質系接着剤等のすでに建築施工現場で使用されている接着剤からなる飛散抑制剤３を吹き付けあるいは注入する。
【００２５】
このようにアスベスト２面に飛散抑制剤３を付着させることにより、アスベスト２内に
飛散抑制剤３が浸透する。次に、飛散抑制剤３が硬化した後、飛散抑制剤３の表面に例えばセメントやロックウール、軽量モルタル等の耐火性を有する材質からなる被覆材４を吹き付けて全面を被覆するが、被覆材４中に堅牢性を有する金属材からなる保持部材５を埋め込むことで補強している。
【００２６】
このため、コンクリート製天井構築面１にアスベスト２を通して固定部材６を打ち込み、固定し、この固定部材６に垂直状に連結するボルト７に堅牢性を有する金属線を方形状に組み合わせた保持部材５を水平状に取り付け、アスベスト２の下面にセメントやロックウール、軽量モルタル等の耐火性を有する材質からなる被覆材４を吹き付け塗布して全面を被覆することに特徴を有している。
【００２７】
固定部材６は、コンクリートに打ち込み可能な鋲８の下部にボルト７を捻じ込み可能な筒状のアンカー９を一体に連結した従来公知のスタッドであり、鋲打ち銃によって鋲８をコンクリートに打ち込み、固定するものである。コンクリートに孔あけ作業をすることなく打ち込むことにより５００Ｋｇｆ以上の引抜耐力を有しており、簡単に抜け落ちることはない。
【００２８】
構築面１に固定したアンカー９にボルト７の上端部を捻じ込み、鋲８とボルト７とを上下直線状に連結する。アスベスト２の下方に突出するボルト７に、アスベスト２と平行状に配設した保持部材５を連結するが、図２に示すように、保持部材６の下側に長方形状の金属製支持板１０をあてがい、ボルト７の下部を支持板１０に貫通させ、支持板１０の下方からボルト７にナット１１を締め付けて支持板１０を固定する。これにより、保持部材５はアスベスト２に対して相対する空間を有して張設されることになる。
【００２９】
その後、保持部材５を内部に埋め込む厚さにセメントやロックウール、軽量モルタル等の耐火性を有する材質からなる被覆材４を吹き付けて全面を被覆すればよい。尚、飛散抑制剤３は、固定部材６を打ち込む前あるいは打ち込んだ後で吹き付けてもよい。
【００３０】
保持部材５は、支持板１０によりアスベスト２の下方に間隔をおいて水平状に保持され、また、保持部材５は鉄骨材の役目をはたして被覆材４内に埋め込まれ、厚い被覆材４を保持している。更に、保持部材５は支持板１０を介してボルト７に連結し、ボルト７自体は構築面１に固定した鋲８に連結しているので被覆材４は安定しており、アスベスト２は完全に防護されることになる。従って、長期的に剥離や崩落の恐れはないものである。
【００３１】
尚、前記の説明では支持板１０は長方形体とした場合であるが、これに限定するものではない。例えば、図示しないが大きな正方形板として広い面で保持部材５の下面を支持するようにしてもよい。これにより保持部材５は補強され、鉄骨材として被覆材４の加重を支えることができる。尚、ボルト７や固定部材８の本数は、アスベスト２の面積に応じて選択することができる。
【００３２】
アスベスト２全面に対する飛散抑制剤３の吹き付けや注入、被覆材４による被覆等の安定化処理によってアスベスト２の組織を結合させ剥離、崩落を防止することが可能であり、粉塵の発生による不特定多数の建築物使用者や住民の健康を損なうことがない。しかも、被覆材４は保持部材５で補強され、厚さが厚くなっているので、アスベスト２の保護、防火対策に十分である。尚、天井構築面は、コンクリート製に限らず金属製、木製、スレート製であってもよい。
【００３３】
更に、本考案の処理装置は、天井に限らず壁面のような構築面や折板構造の金属製屋根のような建築物の目につく露出面に吹き付けたアスベスト、更には、天井裏や内装材の内側、外装材内面等の外部からは目に見えない構築面に吹き付けたアスベスト２に応用することができる。
【００３４】
前記の飛散抑制剤３として使用する接着剤は一例を示したものであり他の接着剤を使用可能であり、更に、接着剤に変えて公知の硬化剤を飛散抑制剤３として使用可能である。  構築面１や飛散抑制剤３、被覆材４等の材質は以下の実施形態においても同じ物を使用できる。
【００３５】
図３は、本考案飛散防止のための第二の実施形態を示すものであり、前記の実施形態と同じ部分は同じ符号を使用している。
この実施形態においては前記の金属線からなる保持部材５に変えて井桁状に組み合わせたチャンネル構造体を保持部材１２として使用することに特徴を有している。この保持部材１２は、図４に示すように、公知のＣチャンネル型桁材を井桁状に組み合わせたものであり、アスベスト２全面を覆うことのできる大きさを有している。
【００３６】
保持部材１２は、図３に示すように、アスベスト２の全面に平行状にあてがい、前記の実施形態と同じく固定部材６に連結したボルト７の下部を保持部材１２に貫通させ、保持部材１２の下面からナット１１を締め付けることで固定可能である。
【００３７】
その後、飛散抑制剤３をアスベスト２面に塗布して浸透させ、２点鎖線で示すように被覆材４を吹き付け塗布することで保持部材１２は被覆材４内に埋め込まれ、鉄骨材として被覆材４を安定して保持することになり、アスベスト２は閉じ込められ、長期的に安定することになる。
【００３８】
チャンネル型桁材を井桁状に組み合わせることで被覆材４との接触面積が大きくなり、被覆材４は安定して保持される。尚、保持部材１２は、アスベスト２面に接触させることなく、前記の実施形態の保持部材５と同じくアスベスト２に相対して適当な間隔の空間を形成してもよい。また、ボルト７は、桁材の交差部に連結することが望ましい。
【００３９】
前記の各実施形態でアスベスト２と保持部材５、１２とは、ボルト７に対するナット１１の締め付け間隔を変えることで相対する位置間隔を変えることができ、これにより被覆材４の厚さも自由に変更することができる。更に、保持部材１２としてはＣチャンネル型桁材に変え長形帯状金属板を平面状に配置して井桁状に組み合わせたものでも利用可能である。
【００４０】
また、構築面１は、金属製の屋根や天井等の場合でも固定部材６の鋲８は打ち込み可能であり、前記と同じ引抜耐力を有する。更に、構築面１が金属材の場合には、固定部材６を使用することなく溶接によっても連結、固定することは可能である。
【００４１】
図５は、本考案の第三の実施形態を示し、折板構造の金属板を使用して構築した屋根や天井、階上床、デッキプレート等の構築面に吹き付けたアスベストのような高所に位置するアスベストの飛散を防止するために遮蔽板を設置したことに特徴を有しており、前記の各実施形態と同じ部分は同じ符号を使用している。
【００４２】
図５において構築面１を構成する屋根板１３は、複数本のＨ形鋼の支持梁１４やこの支持梁１４に直交状態で連結したＣ型チャンネル鋼からなる複数本の横梁１５で水平状態で支持されており、屋根板１３の下面全面、支持梁１４および横梁１５等の全面も吹き付けたアスベスト２で覆われている。尚、横梁１５の側面のアスベストは、図面が複雑となるので省略してある。
【００４３】
このような構築面１に対して間隔をおいて平行状に遮蔽板１６を設置し、構造物１と遮蔽板１６とによって密閉した空間１７を形成する。
遮蔽板１６は、構築面１のアスベスト２面を全て覆うことのできる平面積の大きさを有しており、例えば、天井構築に使用している耐火性を有する天井下地板を使用することができる。
【００４４】
このような遮蔽板１６は、支持梁１４や横梁１５から垂設した複数本のボルト７によって水平状態で吊り下げて設置し、遮蔽板１６の外周面は外壁１８のような壁面や間仕切り壁に密に接することでアスベスト２の下面には密閉空間１７が形成される。
【００４５】
ボルト７は、前記する固定部材６を使用して支持梁１４や横梁１５に連結する。即ち、固定部材６の鋲８は支持梁１４や横梁１５の下部に打ち込み、アンカー９とボルト７とを捻じ込み固定すればよく、また、ボルト７と遮蔽板１６とは野縁１９を介して連結する。
【００４６】
遮蔽板１６の上面に設置して固定した野縁１９にボルト７の下部を挿し込み、下側からナット２０を締め付けることで支持梁１４や横梁１５と遮蔽板１６とが密閉空間１７を形成して連結される。
【００４７】
尚、遮蔽板１６の下面にプラスターボード、プラスチックシート、プラスターボード等を順次に積層して補強することは可能である。尚、遮蔽板１６を構築する前にアスベスト２に前記した飛散抑制剤３を吹き付けあるいは注入して浸透させ、アスベスト２自体を硬化処理するようにしてもよい。
【００４８】
また、ボルト７は、固定部材６を使用して各梁１４、１５に連結することはない。例えば、図５に示すようにボルト７の上端を各梁１４、１５に挿通させ、ボルト７の上下にナットを締め付けることでボルト７と各梁１４、１５とを連結、固定することができる。その他に溶接で固定することも可能である。尚、ボルト７の本数は、遮蔽板１６の大きさや重量によって選択することができる。
【００４９】
尚、ボルト７と野縁１９とを直接連結した場合について説明したが、これに限定するものではない。例えば、図６に示すように間隔をおいて平行状に設置した複数本の野縁１９を、野縁１９と直行する野縁受け２１に連結し、ボルト７と野縁受け２１とを適宜連結金具を使用して連結するようにしてもよい。図６ではプスターボード、プラスチックシート等は省略してある。
【００５０】
経年経過による材質の劣化、あるいは地震の揺れ等が原因でアスベスト２が自然崩落あるいは剥離する危険があるが、アスベスト２の下面は遮蔽板１６で密に閉じているので崩落あるいは剥離したアスベスト塊や粉塵は遮蔽板１６で受け止められ、屋内外に飛び散ることがない。
【００５１】
図４は、本考案の第四の実施形態を示すものであり、前記の各実施形態と同じ部分は同じ符号を使用している。前記の実施形態では屋根や天井等の高所の構築物１にアスベスト２が吹き付けてある場合である。しかし、図７に示すように、外装壁１８のような低所の構築面１にアスベスト２が吹き付けられていることがある。尚、図７では屋根や天井等の高所に位置するアスベスト２を覆う遮蔽板１６は省略してある。
【００５２】
低所に位置するアスベスト２に対しては、例えば、図８に示すような金属製間仕切り２２をアスベスト２の全面を覆うように間隔をおいて立設し、間仕切り２２に前記と同じ遮蔽板１６を張り付け、遮蔽板１６によりアスベスト２の間に密閉空間１７を形成すればよい。尚、この遮蔽板１６の表面にもプスターボード、プラスチックシート、プラスターボード等を積層してもよい。
【００５３】
間仕切り２２は、上面を前記した水平状遮蔽板１６の下面に密に接するか屋根板や天井板に接する高さとし、両側面は支柱２２壁面、間仕切り等に接し、底面は図示しない床面に接するように設置すれば、構築面１と立設した遮蔽板１６との間の密閉空間１７内にアスベスト２が位置することになり、外装壁１８に吹き付けたアスベスト２が剥離、崩落しても外部に飛び散ることはない。外装壁壁面１８に吹き付けたアスベスト２に対しても前記した飛散抑制剤３を吹き付けあるいは注入して浸透、硬化させてもよい。
【００５４】
上記のように建築物の上方に位置する構築物１や側面に位置する構築物１を間隔をおいて遮蔽板１６で密に閉じることでアスベスト２は密閉空間１７内に封じ込められ、屋内外に粉塵が飛び散ることがなく、アスベスト２の危険性から回避することが可能となる。また、アスベスト２は、飛散抑制剤３を浸透させ、被覆することで剥離や崩落の危険性が少なくなり、建築物全体の安全性を高めることができる。
【００５５】
図９は本考案の第五の実施形態を示し、前記の各実施形態と同じ部分は同じ符号を使用している。この実施形態においては高所のアスベスト２を密閉する水平状に設置した遮蔽板１６と低所のアスベスト２を密閉する立設した遮蔽板１６とを連結し、構築物１に吹き付けた全てのアスベスト２を密閉することに特徴を有している。
【００５６】
このために、外壁１８に面する立設状態の間仕切り２２は、図９に示すように、上面を前記した水平状の遮蔽板１６の下面に密に接し、両側面や底面は前記と同じように支柱２３や床面に接するように設置すれば、屋根や天井等の高所のアスベスト２と外壁１８のような側面に位置するアスベスト２とを水平および立設して組み立てた遮蔽板１６を使用して連続して覆い、全面を同時に封じ込めることが可能である。
【００５７】
上記する間仕切り２２の構造は一例を示すものであり、遮蔽板１６を立設して張設することができ、側面に位置するアスベスト２を密閉空間１７内に閉じ込めることができれば構造を問うものではない。また、遮蔽板１６やプラスターボード等は装飾材を使用することで屋内装飾を兼ねることができる。
【産業上の利用可能性】
【００５８】
本考案のアスベスト処理技術を使用することで既存の全ての建築物に吹き付け処理されたアスベストを長期間閉じ込めて安定化させることができ、かつ、経済的な処理が可能であり、利用価値が高いものである。処理技術は簡単であるから、建築業界やリフォーム業界を活性化することができる。
【図面の簡単な説明】
【００５９】
【図１】本考案の第一の実施形態を示す構築面に対するアスベストの密閉状態を示すの断面図である。
【図２】図１において使用する保持部材の底面図である。
【図３】本考案の第二の実施形態を示す構築面に対するアスベストの密閉状態を示すの断面図である。
【図４】図３において使用する保持部材の斜視図である。
【図５】本考案の第三の実施形態を示す構築面に対するアスベストの密閉状態を示すの断面図である。
【図６】遮蔽板を取り付けた野縁の他支の持状態を示す斜視図である。
【図７】本考案の第四の実施形態を示す構築面に対するアスベストの密閉状態を示すの断面図である。
【図８】図７において使用する間仕切りの一例を示す斜視図である。
【図９】本考案の第五の実施形態を示す構築面に対するアスベストの密閉状態を示すの断面図である。
【符号の説明】
【００６０】
１  屋根、天井、壁等の構築面
２  アスベスト
３  飛散抑制剤
４  被覆材
５  保持部材
６  固定部材
７  ボルト
８  鋲
９  アンカー
１０  支持板
１１  ナット
１２  保持部材
１３  屋根板
１４  支持梁
１５  横梁
１６  遮蔽板
１７  密閉空間
１８  外装壁
１９  野縁
２０  ナット
２１  野縁受け
２２  間仕切り
２３  支柱
【図１】
0003118801.tif 000003
【図２】
0003118801.tif 000004
【図３】
0003118801.tif 000005
【図４】
0003118801.tif 000006
【図５】
0003118801.tif 000007
【図６】
0003118801.tif 000008
【図７】
0003118801.tif 000009
【図８】
0003118801.tif 000010
【図９】
0003118801.tif 000011